(57)【要約】  【課題】  本発明は、容易に組み立て可能で生産性の高いクリップ連結構造を提供することを目的とする。  【解決手段】本発明は、クリップ部材を軸筒に連結するための連結部材に、クリップ部材と弾発部材を連結したクリップユニットを形成した後、軸筒にクリップユニットを連結したクリップ連結構造であって、クリップユニット形成時にはクリップ部材と前記連結部材に弾発部材の弾発力が働かないように連結し、軸筒にクリップユニットを連結する際にクリップ部材と前記連結部材に弾発部材の弾発力が働くように連結することによって、前記クリップ部材を軸筒に対して常時付勢可能に連結したことを要旨とする。   【選択図】  図２
2008246996.tif 000002
【特許請求の範囲】
【請求項１】
クリップ部材を軸筒に連結するための連結部材に、クリップ部材と弾発部材を連結したクリップユニットを形成した後、軸筒にクリップユニットを連結したクリップ連結構造であって、クリップユニット形成時にはクリップ部材と前記連結部材に弾発部材の弾発力が働かないように連結し、軸筒にクリップユニットを連結する際にクリップ部材と前記連結部材に弾発部材の弾発力が働くように連結することによって、前記クリップ部材を軸筒に対して常時付勢可能に連結したクリップ連結構造。
【請求項２】
請求項１に記載のクリップ連結構造であって、クリップ部材と前記連結部材の間に弾発部材が配置され、クリップ部材には第一貫通孔、連結部材に第ニ貫通孔をそれぞれ設け、両貫通孔に支軸を挿入することによってクリップ部材と前記連結部材を連結することでクリップユニットを形成し、そのクリップユニット形成時に、自由状態での弾発部材上部を受けるクリップ部材のクリップ底部より軸筒側の領域にのみ、前記連結部材が存在するように形成したことを特徴とするクリップ連結構造。
【発明の詳細な説明】
【技術分野】
【０００１】
本発明は、常時付勢可能な付勢手段を有するクリップ連結構造に関する。
【背景技術】
【０００２】
従来から、常時付勢可能な付勢手段を有するクリップ連結構造は種々の形態で知られている。特開２００５−２３１１４８は、そのクリップ連結構造を筆記具に適用した一例である。上記従来例においては、弾発部材としていわゆるねじりコイルばねを使用し、クリップ部材を軸筒に固定する手段として支軸を用い、クリップ部材の通孔、軸筒の通孔、ねじりコイルばねのコイル部等にそれぞれに支軸を通すことで固定している。
【０００３】
【特許文献１】特開２００５−２３１１４８
【発明の開示】
【発明が解決しようとする課題】
【０００４】
しかしながら、上記従来技術においては支軸を挿入する際等に、弾発部材による弾発力がクリップ部材等に働き、支軸や支点がずれることで非常に組み立てが困難であった。そのため、その組み立ての際には、支軸が通るそれぞれの孔が一直線上に並ぶように、例えば弾発部材を押さえつけて支軸を挿入したり、仮止めをして弾発力がクリップ部材に働かないようにするなどの工夫が必要であり、その組み立て工程を複雑なものとし、生産性を低下させていた。
【０００５】
本発明は、上記問題点に鑑みてなされたものであり、その問題点を解決し、容易に組み立て可能で生産性の高いクリップ連結構造を提供することを目的とする。
【課題を解決するための手段】
【０００６】
本発明は、クリップ部材を軸筒に連結するための連結部材に、クリップ部材と弾発部材を連結したクリップユニットを形成した後、軸筒にクリップユニットを連結したクリップ連結構造であって、クリップユニット形成時にはクリップ部材と前記連結部材に弾発部材の弾発力が働かないように連結し、軸筒にクリップユニットを連結する際にクリップ部材と前記連結部材に弾発部材の弾発力が働くように連結することによって、前記クリップ部材を軸筒に対して常時付勢可能に連結したことを要旨とする。
【発明の効果】
【０００７】
上記のように構成された本発明のクリップ連結構造によれば、支軸をそれぞれの貫通孔に挿入する際に、弾発部材による弾発力が働くことなく各貫通孔を一直線上に形成することができるため、容易に組み立てることができる。
【発明を実施するための最良の形態】
【０００８】
図１、図２は本発明をシャープペンシルのクリップに適用した実施の形態である。以下、図に基づいて詳細に説明する。
【０００９】
なお、本形態においては、筆記具の長手方向に対して、筆記体のある方を前方、その逆方向を後方と表記する。また、便宜上、長手方向の垂直方向に対して、クリップ側を上方、軸筒側を下方と表記する場合もあり、クリップ側と上方、軸筒側と下方を適宜選択する。また、本例における弾発部材の自由状態とは、弾発部材が収縮及び伸張をしていない状態を指す。
【００１０】
まず、クリップ部材１、弾発部材６、連結部材７、支軸９からなるクリップユニット１５の組み立て構造に関して説明する。
【００１１】
クリップ部材１の前方には玉部２が形成されており、その玉部２には係止部３が形成されている。クリップ部材１の中間部後方には、軸筒方向に向かって隆起する板状の隆起部４が対向に形成され、その隆起部４の中心付近には第一貫通孔５が対向に形成されている。両隆起部４の内側には箱状の連結部材７が配置され、さらにその箱状の連結部材７の内側には、いわゆるねじりコイルばねの形状をした弾発部材６が配置されている。また、連結部材７の側面には第二貫通孔８が対向に形成されている。
【００１２】
その第二貫通孔８、前述の第一貫通孔５、弾発部材６のコイル部内孔に支軸９を挿入することにより、その支軸９を回転軸としてクリップ部材前方が軸筒から離間する方向に回転可能なように、支軸９が第二貫通孔８、第一貫通孔５、弾発部材６を係止している。支軸９には係止溝１０が形成されており、その係止溝１０に第一貫通孔５の内周部が嵌まり込む。
【００１３】
上記クリップユニット１５を軸筒に取り付けることで、常時弾発力が発生するクリップとして機能する。詳細は後述する。
【００１４】
隆起部４は、クリップとしての機能の観点から見て、クリップ部材１の中間部後方に形成するのが望ましいが、実施の形態によってはクリップ部材１の前端部、中間部前方、中間付近、或いは後端部に形成しても良い。また、第一貫通孔５は強度の観点から見て隆起部４の中心付近に形成されることが望ましいが、その位置は特に限定されない。さらに、隆起部４はクリップの動作を規制しない形状であれば、正方形、長方形などでもよく、どのような形状であってもよい。
【００１５】
支軸９を第一貫通孔５、第二貫通孔８、弾発部材６のコイル部内孔に挿入する場合、それぞれの孔が一直線上に形成されている必要がある。以下に、その構成をクリップユニット１５の組立工程を交えて図３〜図４に基づいて詳述する。
【００１６】
連結部材７は箱状をなしており、その後方には窓孔２８が形成されている。弾発部材６の弾発部材下部２５は、窓孔２８に挿入され、弾発部材６の弾発部材下部２５が連結部材７に形成された窓孔２８に係止されている。このとき、弾発部材６のコイル部分は第二貫通孔８と一直線上に設けることが望ましいが、この段階では弾発部材６は移動可能に配置されている。
【００１７】
後述するが、クリップユニット１５を軸筒１２に挿入後、軸筒内の連結部材７の接合リング１１を後金で固定する為に、軸筒後方から後金１７を挿入する。このとき上記のように、連結部材７の窓孔２８で弾発部材の弾発部材下部２５を係止することで、弾発部材下部２５が、後金１７に引っかかることが無くより容易に組み立てることができる。
【００１８】
次に、クリップ部材１を弾発部材６と連結部材７の上方に配置することになる。しかしながら、課題において前述したように、弾発部材上部２６の自由状態での位置、連結部材７の形状、第一貫通孔５の形成位置によっては、第一貫通孔５、第二貫通孔８、弾発部材６のコイル部内孔が一直線上に形成されず、支軸９を挿入する際には弾発部材上部２６を押さえつける等の工夫が必要で、弾発部材６の弾発力が発生し、その組み立てが困難となる。
【００１９】
そこで、第一貫通孔５、第二貫通孔８、弾発部材６のコイル部内孔を一直線上に形成するために、連結部材上部２６の自由状態での位置、連結部材７の形状、第一貫通孔５の形成位置になんらかの条件を規定する必要がある。以下、図４，５に基づいて説明する。
【００２０】
そこで、本発明では、どのような弾発部材６、第一貫通孔５の形成位置においても対応できるような連結部材７の形状を規定した。すなわち、クリップユニット形成時に、弾発部材６が自由状態での弾発部材上部２６を受けるクリップ部材１のクリップ底部３２より軸筒側の領域にのみ、連結部材７が存在するように形成する。
【００２１】
上記のように連結部材７の形状を形成することで、本例のように常時付勢可能な付勢手段を有するようなクリップのクリップユニット１５を組み立てる際に、第一貫通孔５、第二貫通孔８、弾発部材６のコイル部内孔を一直線上に形成しても、弾発部材による弾発力が発生することがなく、容易に組み立てることが可能となる。
【００２２】
なお、クリップ底部３２とは、クリップ部材の下方面のうち側面部の底部を含まない領域とする。さらに、連結部材７が当接しうる幅でクリップ長手方向に延設した部分を指す。また、本例におけるクリップ底部３２は図６に示すようにＸ−Ｘ断面形状は中央が膨らんだ形状をしているが、中央が下方に膨らんだ形状、波状、平面、突起を形成した形状など、これに限定されるものではない。
【００２３】
さらに、本例においてはクリップ底部３２の側方断面形状は直線で形成されているが、波状、凹凸を含む形状などこれに限定されるものではない。
【００２４】
また、本例においては弾発部材としてねじりコイルばねを用いたが、板ばねやコイルスプリング、弾性力のある樹脂などを用いてもよい。
【００２５】
次に、図７〜９に基づいてクリップユニット１５の軸筒１２への取り付けに関して説明する。なお、同一な部分には同一符号を付し、一度説明したものについてはその説明を省略する。また、説明上特に支障がない場合には添字を省略する。
【００２６】
連結部材７の前端には軸筒方向に向かって延設されたリング状の接合リング１１が形成されている。さらに軸筒１２には窓孔１３と窓孔１４が２つ形成されている。後方に位置する窓孔１３は長手方向に対して長く形成された長方形である。
【００２７】
そして、窓孔１３に接合リング１１を挿入する。接合リング１１の直径は窓孔１３の横幅よりも大きいため、まず、クリップ部材１が軸筒に対して垂直になるようにクリップユニット１５を軸筒１２に挿入し、その後クリップ部材１と軸筒が平行になるように回転させることで装着する。
【００２８】
このとき、クリップ部材１の前方を持ち上げながら回転させる。その後、クリップ部材前方は軸筒に付勢された状態で係止する。つまり、弾発部材６はクリップユニット１５を組み立てる段階ではその弾発力を発生せず、軸筒１２に取り付ける際に初めて弾発力を発生する。
【００２９】
そこで、軸筒に取り付けた後は、弾発部材下部２５が連結部材７を下方に付勢し、弾発部材上部２６はクリップ部材のクリップ底部３２の後方を上方に付勢することで、クリップ部材前部と軸筒１２が互いに付勢しあい、クリップとして挟持可能となり、弾発部材下部２５及び弾発部材上部２６はそれぞれ連結部材７とクリップ部材１の付勢部となる。
【００３０】
このため、クリップユニット１５の組み立て時には、弾発力が発生せず、第一貫通孔５、第二貫通孔８、弾発部材６のコイル部内孔を一直線上に形成でき、容易に組み立てることができる。
【００３１】
また、図８，９に示すように、軸筒１２の後端には雌ネジ１６が形成され、そこに雄ネジ１８が形成された筒状の後金１７が螺合する。後金１７は後端に大径部１９（、前端に縮径部２０が形成され、その縮径部２０は接合リング１１に挿入される。さらに、軸筒１２の前方から圧入リング２１が挿入され、縮径部２０に圧入されることで接合リング１１が後金１７に固定される。さらに圧入リング２１の前方から、消しゴム受け２２が後金１７に挿入され、消しゴム受け２２の前方には筆記体２３が配置されている。
【００３２】
窓孔１４には玉部２が入り込む。筆記体２３の中部には係止部材２４が形成されており、筆記体の突出時にはその係止部材２４が玉部２の係止部３に係止され突出状態を保つ。クリップ部材後部を押圧するなどして、この係止を解除することで筆記体２３の先端が没入する。
【００３３】
その筆記体２３はシャープペンシルユニットやリフィル、消し具等で構成され、筆記具としての筆記機能、消し具としての消字機能等を有していればどのような構成であってもよい。
【００３４】
また、本例においては、クリップ部材の中間部後方に第一貫通孔５を設けたため、取り付けの際に中間部前方に貫通孔を設けた場合と比較して、より小さな力でクリップ部材前方を持ち上げることができる。
【００３５】
また、第一貫通孔５、第二貫通孔８の直径は、支軸９の直径よりも若干大径に形成されている。そのため、クリップユニット１５は軸筒に取り付けられていない状態では、支軸９はその両側に形成された円周状の係止溝１０に第一貫通孔５の内周部が嵌まり込んでいるものの、遊挿状態にある。
【００３６】
そこで、図１０に示すようにクリップユニット１５を軸筒１２に取り付けた際に、弾発部材上部２６がクリップ部材後部を上方に付勢することで、クリップ部材後部が持ち上がり、支軸９に形成された係止溝１０に第一貫通孔５の内周部が嵌まり込み、支軸９を上方に付勢する。このとき、支軸９は第一貫通孔５の下方内周部により上方に付勢され、第二貫通孔８の内周部上方に支軸９が当接することにより、挟みこまれて係止している。
【００３７】
上記のようにクリップ部材１を軸筒に取り付けた後、弾発力が働くことにより、支軸９は遊挿状態ではなくなり、強固に固定できる。
【００３８】
また、支軸９はクリップ部材１の幅よりも長く形成されており、クリップ部材１の幅に相当する部分、つまり隆起部４が嵌まり込む部分には係止溝１０が形成されている。係止溝１０の幅は、隆起部４の幅より若干大きく形成されている。係止溝１０の深さＨは、クリップ部材１が上方に付勢された際にできるクリップ部材１の隆起部４と軸筒との隙間Ｌよりも大きな値を持つ。
【００３９】
クリップ部材後端を押圧時にクリップ部材１がわずかに下方に移動するが、上記構成のようにＨ＞Ｌとすることにより、クリップ使用時においても支軸９とクリップ部材１の係止がはずれることなく支軸９が抜けることがない。
【００４０】
次に、クリップ押圧時の動作について図３、図１１に基づいて説明する。
【００４１】
連結部材７の上部後端には傾斜部２９が形成され、クリップ部材押圧時にクリップ部材と連結部材が干渉することなく移動できる構成となっている。連結部材７の軸筒側後方には突部３０が形成され、その突部３０が窓孔１３に入り込み、連結部材７の円周方向への移動を防止している。
【００４２】
クリップ部材１の後方を押圧すると、弾発部材下部２５の連結部材７との当接部、弾発部材上部２６とクリップ部材の前方に配置されている支軸９を支点として、クリップ部材１の前方が持ち上がる。この際、クリップ部材前方が持ち上がりすぎるとばねの疲労の原因となるため、その変位量を規制している。その規制手段として、本例では箱状の連結部材７の後部上方の傾斜部２９後方の折込部２７上部で、弾発部材上部２６を係止し、クリップ部材１を規制している。このため、軸筒にクリップ部材後端が当たることがなく、軸筒を傷つけることがない。
【００４３】
なお、弾発部材６の形状、例えば、コイルスプリングを用いた場合や弾発部材上部２６の形状、例えば、ねじりコイルばねの腕が短く、連接部材の箱部に収まるように形成することもできる。その場合は傾斜部２９もしくは、折込部２７上部で直接クリップ底部３２を規制することになる。
【００４４】
次に、前述の連結部材７の前方に接合リング１１が形成されている理由を図１２に基づいて説明する。
【００４５】
クリップを過度な力で持ち上げたり、クリップの後端を押した時には、クリップ部材１の支点には軸筒から離間する方向に力がかかる。このとき、クリップ部材後部を連結部材で規制しているので、ある程度は離間力を軽減できる。接合リング１１が連結部材７の後方に配置されていた場合がこれにあたる。しかしながら、さらに大きな力でクリップを持ち上げた場合、連結部材７の接合リング１１の接合部を支点として、上方へ持ち上がる連結部材７の箱部前方の動きを規制する部材が無い為、クリップ部材の先端を、連結部材７が接合リング１１との接合部で折れてしまうまで持ち上げることが可能となってしまう。
【００４６】
しかし、連結部材の前方に接合リングを形成することで、クリップ部材先端を持ち上げたり、クリップ部材後端を押した時、連結部材７にかかる力は、接合リング１１との接合部を支点とした軸筒側へ向かう力となるため、軸筒内部の後金１７に乗るように配置されている連結部材７は、下方への動きを規制されているため、それ以上動くことが無く、クリップ部材の先端が必要以上に持ち上がってしまうことが無いので、接合リング１１との接合部から折れてしまう恐れが無くなる。
【００４７】
以上のように、上記離間防止作用は接合リングが前方になくとも、ある程度はクリップの離間を防ぐことができるため、連結部材７の後方等に形成しても良いが、連結部材の前方、あるいはクリップ部材の支点の前方に形成することが望ましい。
【実施例１】
【００４８】
図１３に、本発明の実施例１を示す。箱状の連結部材７の前方上部に傾斜状の切り欠き部３３を形成した。この切り欠き部３３はクリップユニット形成時のクリップ底部３２と略平行でやや軸筒方向向きに切り欠かれており、クリップユニット組み立て時には、弾発部材の弾発力が発生することなく組み立てることができる。さらに、組み立て後には、軸筒１２にクリップ部材１が当接することによりクリップ部材１の前方が持ち上がり、弾発部材６がクリップ部材１、連結部材７を介して軸筒１２をそれぞれ付勢し、常時付勢可能なクリップとなる。また、連結部材７の後方上部にも切り欠き部３４が形成されており、クリップ押圧時にその開き角が適切となるように、クリップ部材の動作を規制している。
【００４９】
本例のように、軸筒１２に対してクリップ部材先端が沈むように常時付勢可能なクリップの場合、クリップ部材１のクリップ底部３２の前方は支軸を支点に、支軸前方で下方に向かって傾斜する。軸筒１２に取り付ける前のクリップユニット１５の状態で、弾性部材６を自由状態に保つ為には、クリップ底部３２の前方をさらに下方へ傾斜する必要がある。このさらに下方へ傾斜した状態のクリップ底部３２を基準に連結部材７の形状を形成するとき、連結部材７の第ニ貫通孔８の加工のし易さや、その周りの強度を考慮して、貫通孔の周りの肉厚を大きく取る為には、貫通孔の中心軸線とクリップ底部３２の距離を大きくして、クリップ底部による境界を大きく取ることもできる。しかし、その場合軸筒１２に対して、クリップ部材１が上方へ出っ張る形になり、外観を損なう。そこで、上記のように境界となるクリップ底部３２に略平行となる切り欠き部３３を連結部材の前方部上方に形成する。そうすることで、貫通孔周りの肉厚の確保と、クリップ部材１の軸筒上方への出っ張りをなるべく抑え、外観を損なうことがない。
【実施例２】
【００５０】
図１４に、本発明の実施例２を示す。連結部材７の後方及び上方は円弧部３１形成し、前方は傾斜部３５を設け、前端は軸筒に対して垂直となる形状をなした。また、連結部材の後方下端は前方に向かった傾斜部３６が形成されている。このように形成することでクリップの動作を連結部材によって妨げることなく形成することができる。
【実施例３】
【００５１】
また、図１５のように連結部材７の前端上部をクリップ底部３２に接するように形成することで、組み立て時に第一貫通孔５、第二貫通孔８、弾発部材６のコイル部内孔を一直線上に形成する際、クリップ部材を弾発部材上部２６と連結部材７の少なくとも２点又は辺で支持しながら組み立てることができ、より容易に組み立てることができる。
【図面の簡単な説明】
【００５２】
【図１】クリップユニットの分解斜視図。
【図２】クリップユニットの側方断面図。
【図３】連結部材の後方斜視図。
【図４】クリップユニットの側面図。
【図５】連結部材の側面図。
【図６】図２のＸ−Ｘ断面図。
【図７】軸筒の斜視図。
【図８】軸筒とクリップユニットの分解斜視図。
【図９】組み立て時の半断面図。
【図１０】図９のＹ−Ｙ断面図。
【図１１】クリップ押圧時の半断面図。
【図１２】軸筒とクリップユニットの組図。
【図１３】実施例１の側面図。
【図１４】実施例２の側面図。
【図１５】実施例３の側面図。
【符号の説明】
【００５３】
１      クリップ部材
２      玉部
３      係止部
４      隆起部
５      第一貫通孔
６      弾発部材
７      連結部材
８      第二貫通孔
９      支軸
１０    係止溝
１１    接合リング
１２    軸筒
１３    窓孔
１４    窓孔
１５    クリップユニット
１６    雌ねじ
１７    後金
１８    雄ねじ
１９    大径部
２０    縮径部
２１    圧入リング
２２    消しゴム受け
２３    筆記体
２４    係止部材
２５    弾発部材下部
２６    弾発部材上部
２７    折込部
２８    窓孔
２９    傾斜部
３０    突部
３１    円弧部
３２    クリップ底部
３３    切り欠き部
３４    切り欠き部
３５    傾斜部
３６    傾斜部
【図１】
2008246996.tif 000003
【図２】
2008246996.tif 000004
【図３】
2008246996.tif 000005
【図４】
2008246996.tif 000006
【図５】
2008246996.tif 000007
【図６】
2008246996.tif 000008
【図７】
2008246996.tif 000009
【図８】
2008246996.tif 000010
【図９】
2008246996.tif 000011
【図１０】
2008246996.tif 000012
【図１１】
2008246996.tif 000013
【図１２】
2008246996.tif 000014
【図１３】
2008246996.tif 000015
【図１４】
2008246996.tif 000016
【図１５】
2008246996.tif 000017